(57)【要約】【課題】使用中に力が加わっても回転軸の折れ曲がりによる不具合が生じないスピナー型ルアーを提供する。【解決手段】釣糸Ｌに連結される疑似餌９と、釣糸および疑似餌の間に在って回転するブレード２とを含んで構成されるスピナー型の釣用ルアー１において、ブレードは端部４に環状部材３を備え、環状部材には、第１縒り戻し５および第２縒り戻し６が環状部材に対し旋回可能に連結され、第１・第２縒り戻しのいずれか一方に疑似餌が連結され、他方に釣糸が連結される構成にした。【選択図】図１
2009000064.tif 000002
【特許請求の範囲】
【請求項１】
釣糸に連結される疑似餌と、
前記釣糸および前記疑似餌の間に在って回転するブレードとを含んで構成されるスピナー型の釣用ルアーにおいて、
前記ブレードは端部に環状部材を備え、
前記環状部材には、第１縒り戻しおよび第２縒り戻しが前記環状部材に対し旋回可能に連結され、
前記第１・第２縒り戻しのいずれか一方に前記疑似餌が連結され、他方に前記釣糸が連結されることを特徴とするスピナー型の釣用ルアー。
【請求項２】
前記第１縒り戻しおよび第２縒り戻しは、それぞれ第１連結リングおよび第２連結リングを介して前記環状部材に連結される請求項１に記載の釣用ルアー。
【請求項３】
前記疑似餌および／または前記ブレードが交換可能である請求項１または請求項２に記載の釣用ルアー。
【発明の詳細な説明】
【技術分野】
【０００１】
この発明は、回転するブレードを疑似餌本体の前部に備えるスピナー型の釣用ルアーに関する。
【背景技術】
【０００２】
回転するブレードを疑似餌本体の前部に備えるスピナー型の釣用ルアー（以下スピナー）が知られている。従来のスピナーの場合、単にブレードを疑似餌本体の前部に設けただけでは、ブレードがスピナーのリーリング方向と反対向きに作用する水圧で疑似餌に押し付けられ、円滑に回転しなくなることがある。このため特許文献１に典型的に示されているように（図２参照）、従来のスピナー１０１では、ワイヤースピンドル１２０にＵ字形状金具１２１を介してブレード１０２を取り付けたり、ワイヤースピンドル１２０にブッシュとしてビーズ１２２を挿通したりしている。
【特許文献１】米国特許第５５９５０１５号明細書
【発明の開示】
【発明が解決しようとする課題】
【０００３】
従来のスピナー１０１では、Ｕ字形状金具１２１やビーズ１２２によりブレード１０２が疑似餌１０９から隔離されることで、ブレード１０２が疑似餌１０９に押し付けられて回転し難くなることが抑制されている。しかし、使用中に回転軸であるワイヤースピンドル１２０に力が加わり曲がってしまい、ブレード１０２が円滑に回転しなくなったり、あるいはスピナー１０１が使用不能になったりする等の不具合が生じることがある。
【０００４】
前記の問題点を解決するため、本発明は使用中に力が加わっても回転軸の折れ曲がりによる不具合が生じないルアーを提供することを課題とする。
【課題を解決するための手段】
【０００５】
前記課題を解決した本発明のスピナー型の釣用ルアー（以下ルアー）は、釣糸に連結される疑似餌と、釣糸および疑似餌の間に在って回転するブレードとを含んで構成されるルアーにおいて、ブレードは端部に環状部材を備え、環状部材には、第１縒り戻しおよび第２縒り戻しが環状部材に対し旋回可能に連結され、第１・第２縒り戻しのいずれか一方に疑似餌が連結され、他方に釣糸が連結されることを特徴とする。
【０００６】
本発明ではさらに、第１縒り戻しおよび第２縒り戻しは、それぞれ第１連結リングおよび第２連結リングを介して環状部材に連結されることが好ましい。
また、疑似餌および／またはブレードが交換可能であることが好ましい。
【発明の効果】
【０００７】
本発明のルアーは、ブレードが環状部材と、環状部材に対し旋回可能な第１・第２縒り戻しとを介して疑似餌に連結される構成であり、従来のワイヤースピンドルのような直線状の部材を回転軸として用いない。このため、ルアーをキャストしてリーリングにより手元に引き寄せる操作を行なったとき、リーリング方向に沿って第１縒り戻し、環状部材、第２縒り戻しが整列して仮想回転軸が形成される。ブレードはこの仮想回転軸を中心に回転し、使用中に従来のワイヤースピンドルを曲げるような力が加わったときでも、第１縒り戻し、環状部材、第２縒り戻しおよび疑似餌の相互の連結がフレキシブルなので、回転軸の折れ曲がりによる不具合が生じない。
【発明を実施するための最良の形態】
【０００８】
図１を参照して本発明のスピナー型の釣用ルアー１（以下ルアー１）について説明する。図１はルアー１の側面図であり、ルアー１がリーリング方向Ｘに引かれる前の状態を示している。
ルアー１は、疑似餌９、ブレード２、環状部材３、第１縒り戻し５、および第２縒り戻し６を主要な構成部材とする。ルアー１はさらに疑似餌９に取り付けられるフック１０等を含んで構成され、使用時には、釣糸Ｌが連結される。図１では、第１連結環１１〜第３連結環１３を介して疑似餌９に釣糸Ｌが連結されている。
【０００９】
ルアー１をキャスティングした後リーリングにより手元に引き寄せる操作を行なうと、図１に示した状態から、ルアー１のリーリング方向Ｘに形成される仮想回転軸Ｍ上に、釣糸Ｌが結ばれた第１連結環１１、第１縒り戻し５、第１連結リング７、ブレード２が取り付けられた環状部材３、第２連結リング８、第２縒り戻し６、第２連結環１２、第３連結環１３、疑似餌９、の順に整列した状態(図示せず)に変化し、ブレード２はリーリングにより水圧を受けて仮想回転軸Ｍの周囲を回転する。
【００１０】
疑似餌９には、公知のハードルアーまたはソフトルアーの中から水中に沈むタイプのものを適宜選択して用いることができる。疑似餌９に取り付けるフック１０は、対象とする魚の食餌習性に応じて、疑似餌９の後部や下部等に取り付けられる。
【００１１】
ブレード２は薄肉で略円形ないし楕円形の金属やプラスチック等の板材から成り、長手方向の端部４に環状部材３を挿通するための円形の開口１４が形成されている。ブレード２には、対象とする魚の捕食活動を刺激するために、光の反射率が場所により変化するように表面を仕上げたり、彩色を施したりすることが好ましい。また、環状部材３には、スプリットリングやスナップリング等の公知の連結用リングを用いる。
【００１２】
第１・第２縒り戻し５，６は、連結用透孔１５を有する２本の回転シャフト１６が直線（仮想回転軸Ｍ）上に配列されて互いに独立して回転可能な部材であり、スイベルやサルカン等の公知の釣具を用いることができる。第１・第２縒り戻し５，６は、透孔１５に環状部材３を挿通することにより、環状部材３に対し旋回可能に連結される。なお、第１・第２縒り戻し５，６には、ブレード２が円滑に回転できるよう、ベアリング入りのスイベルを用いることが好ましい。
【００１３】
また、環状部材３に連結される第１・第２連結リング７，８、および第１・第２連結環１１，１２には、スプリットリング等の公知の円形のリングを用いることができる。疑似餌９が連結される第３連結環１３には、スプリットリングやスナップリング等の公知の連結用リングを用いることが好ましい。
【００１４】
以上の部材で構成されるルアー１は、使用中に従来のワイヤースピンドルを曲げるような力が加わったときでも、環状部材３、ブレード２および疑似餌９の相互の連結がフレキシブルなので、従来のルアーのような回転軸の折れ曲がりによる不具合は生じない。さらに、直線状の部材と環状の部材を比較すると、環状の部材の方が変形し難いことによっても、回転軸の折れ曲がりによる不具合の発生が防止される。
【００１５】
また、疑似餌９と釣糸Ｌの間に環状部材３、第１・第２連結リング７，８および第１〜第３連結環１１，１２，１３等のリングが鎖状に連なる構成にすれば、疑似餌９と釣糸Ｌの間のフレキシビリティが高まり、より有効に回転軸の折れ曲がりによる不具合を防止することができる。さらに、疑似餌９と釣糸Ｌの間のフレキシビリティが高まることにより、疑似餌９と釣糸Ｌがワイヤーで連結される従来のスピナーと比較してルアー本来の動きが損なわれず、例えば、あたかも小魚がゆらゆらと泳いでいるような動きを疑似餌９に生じさせることができる。
【００１６】
またブレード２は、仮想回転軸Ｍを中心に回転可能な回転シャフト１６を有する第１・第２縒り戻し５，６に連結しているので、仮想回転軸Ｍを中心に円滑に回転できる。また、疑似餌９とブレード２との間の第２縒り戻し６がスペーサとしても機能し、リーリングするときブレード２が水圧で疑似餌９に押し当てられて回転を妨げられることは無い。
【００１７】
さらに、ブレード２が、第１・第２連結リング７，８を介して第１・第２縒り戻し５，６の回転シャフト１６に連結されていることにより、ルアー１をキャスティングした後、仮想回転軸Ｍが形成される前でもブレード２の回転が生じ得る。これは、ルアー１を流れのある川で使用する場合に有益である。すなわち、従来のスピナーの場合、川の上流にキャスティングしたとき、ブレードを回転させるためには、川の流れよりも早くリーリングしてブレードに対する水圧を生じさせなければならない。
【００１８】
これに対し、本発明のルアー１は、前記のように疑似餌９と釣糸Ｌの間がフレキシブルなので、川の上流にキャスティングしたとき、ルアー１全体としては疑似餌９が川の流れ方向と平行になるようにして湾曲する。この際、ブレード２は第１・第２連結リング７，８を介して第１・第２縒り戻し５，６の回転シャフト１６に連結されているので、仮想回転軸Ｍが形成される前でも、水圧によりブレード２の回転が生じる。従って、従来のスピナーのように川の流れよりも早くリーリングする必要はなく、容易にブレード２を回転させることができる。
【００１９】
また、第１・第２連結リング７，８と第３連結環１３にスプリットリングやスナップリング等の着脱可能な連結用リングを用いれば、対象とする魚に応じてブレード２と疑似餌９を容易に交換することができる。
【００２０】
以上、図１のルアー１に基づき説明したが、本発明はこれに限定されず種々変更して実施することができる。
変形例の１つとして、図１に示した構成から第１・第２連結リング７，８を取り除き、第１・第２縒り戻し５，６を直接環状部材３に連結する構成にすることができる。
【００２１】
別の変形例として、図１に示した構成から第１・第２連結リング７，８、および第１・第２連結環１１，１２を取り除き、第１・第２縒り戻し５，６を直接環状部材３に連結し、また釣糸Ｌを直接第１縒り戻し５に結びつけ、第２縒り戻し６に第３連結環１３を介して疑似餌９を連結する構成にすることもできる。
【００２２】
いずれの変形例でも、従来のワイヤースピンドル１２０のような直線状の部材を回転軸として用いないので、使用中に力が加わったときでも、環状部材３、ブレード２および疑似餌９の相互の連結がフレキシブルなので、回転軸の折れ曲がりによる不具合が生じない。
【００２３】
また別の変形例として、環状部材３をブレード２に形成された開口１４に挿通する構成に代えて、環状部材３をブレード２の端部４に溶接等により固着することもできる。この場合、環状部材３の成す平面と、ブレード２の成す平面とが直交するようにして固着することが好ましい。これにより、リーリング中に仮想回転軸Ｍに対しブレード２を常に直交させて効率よく回転させることができる。
【００２４】
さらに別の変形例として、疑似餌９と釣糸Ｌの間にブレード２を複数設けて対象魚の食餌行動を刺激することもできる。このとき、隣り合うブレード２の間に縒り戻しと連結リングを介在させれば、ブレード２間の間隔が保たれることにより、互いに回転を妨害しあうことが防止される。また、複数の相似形のブレード２を用い、釣糸Ｌから疑似餌９に向かうに従いブレード２の面積が大きくなるように配列したり、複数の円形状と楕円形状のブレード２を用い、釣糸Ｌから疑似餌９に向かうに従い円形状から楕円形状になるように配列したりする等、形状や大きさの異なるブレード２を組み合わせることにより、回転を妨害しあうことを防止することもできる。
【図面の簡単な説明】
【００２５】
【図１】本発明のルアーの側面図。
【図２】従来のスピナー型ルアーの側面図。
【符号の説明】
【００２６】
１    ルアー
２    ブレード
３    環状部材
４    端部
５    第１縒り戻し
６    第２縒り戻し
７    第１連結リング
８    第２連結リング
９    疑似餌
Ｌ    釣糸
【図１】
2009000064.tif 000003
【図２】
2009000064.tif 000004